(57)【要約】【課題】  画像出力装置に備わる特定の給排紙装置の使用が許可された特定のユーザに対して、給紙装置への用紙の補充や排紙装置からの用紙の除去といったエラー解除処理を行わせる頻度を好適に減少することができる画像出力装置及びその制御方法を提供する。【解決手段】  画像出力装置３００１は、保持している記録媒体を給紙指示に基づいて給排紙する複数の給紙部３００７〜３００９を備え、給紙された記録媒体にホストコンピュータ３００６Ａ〜Ｃからの画像データを形成して排紙する。そこで、いずれかの給紙部に対して記録媒体の給紙指示を行うとともに、内部に保持されている記録媒体の状態を検出する。そして、特定の操作者に対してのみ使用が許可された特定の給紙部が記録媒体を保持していないと検出された場合、給紙指示がされた給紙部からの記録媒体の給紙を中断する。【選択図】  図３
2005255287.tif 000002
【特許請求の範囲】
【請求項１】
給紙された記録媒体に画像データを形成して出力する画像出力装置であって、
保持している記録媒体を給紙指示に基づいて給紙する複数の給紙手段と、
前記複数の給紙手段のいずれかに対して記録媒体の給紙指示を行う指示手段と、
前記複数の給紙手段内に保持されている記録媒体の状態を検出する検出手段と、
特定の操作者のために使用が許可された特定の給紙手段が記録媒体を保持していないと検出された場合、前記給紙指示がされた給紙手段からの記録媒体の給紙を中断する制御手段と
を備えることを特徴とする画像出力装置。
【請求項２】
前記制御手段が、前記特定の給紙手段に対して記録媒体が補給されたことを条件として、前記給紙指示がされた給紙手段からの記録媒体の給紙を許可することを特徴とする請求項１に記載の画像出力装置。
【請求項３】
前記制御手段は、前記検出手段により記録媒体がないと検出された給紙手段が、前記給紙指示のされていない給紙手段であって、かつ前記特定の給紙手段ではない場合、前記給紙指示がされた給紙手段からの記録媒体の給紙を中断しないことを特徴とする請求項１に記載の画像出力装置。
【請求項４】
前記制御手段は、前記給紙指示がされた給紙手段及び前記特定の給紙手段に対して記録媒体が補給され、かつ前記給紙手段に対応するパスワードが入力されたことを条件として該給紙手段からの記録媒体の給紙を許可することを特徴とする請求項２に記載の画像出力装置。
【請求項５】
前記記録媒体に形成される画像データから前記パスワードを抽出する抽出手段をさらに備えることを特徴とする請求項４に記載の画像出力装置。
【請求項６】
前記パスワードを操作者に入力させる操作手段をさらに備えることを特徴とする請求項４に記載の画像出力装置。
【請求項７】
前記特定の給紙手段に所定量以上の記録媒体が保持されているか否かを判定する判定手段をさらに備え、
前記制御手段は、前記判定手段によって前記特定の給紙手段に所定量以上の記録媒体が保持されていると判定されたことを条件として、前記給紙指示がされた給紙手段又は前記特定の給紙手段からの記録媒体の給紙を許可する
ことを特徴とする請求項２に記載の画像出力装置。
【請求項８】
前記制御手段によって給紙が中断された場合、前記画像データの出力指示者に対して前記特定の給紙手段への記録媒体の補給を報知する報知手段をさらに備えることを特徴とする請求項１又は２に記載の画像出力装置。
【請求項９】
前記制御手段は、特定の操作者のために使用が許可された特定の給紙手段が記録媒体を保持していないと検出された場合、全ての前記複数の給紙手段からの記録媒体の給紙を中断することを特徴とする請求項１に記載の画像出力装置。
【請求項１０】
利用者を特定するための判断処理を行う判断手段と、
前記判断手段の判断結果に基づいて、利用者に対して利用を許可する給紙手段と利用者に対して利用を禁止する給紙手段とを識別する識別手段とをさらに備え、
前記制御手段は、前記識別手段によって識別された利用者に対して利用が禁止された給紙手段からの記録媒体の給紙を禁止する
ことを特徴とする請求項１に記載の画像出力装置。
【請求項１１】
記録媒体を排紙する画像出力装置であって、
排紙指示に基づいて記録媒体を排紙して集積可能な複数の排紙手段と、
前記複数の排紙手段のいずれかに対して記録媒体の排紙指示を行う指示手段と、
前記複数の排紙手段から排紙され集積された記録媒体が許容量に達しているか否かを検出する検出手段と、
特定の操作者のために使用が許可された特定の排紙手段から排紙され集積された記録媒体が許容量に達していると検出された場合、前記排紙指示がされた排紙手段からの記録媒体の排紙を中断する制御手段と
を備えることを特徴とする画像出力装置。
【請求項１２】
前記制御手段が、前記特定の排紙手段から排紙され集積された記録媒体が除去されたことを条件として、前記排紙指示がされた排紙手段からの記録媒体の排紙を許可することを特徴とする請求項１１に記載の画像出力装置。
【請求項１３】
前記制御手段は、前記検出手段により記録媒体が許容量に達していることが検出された排紙手段が、前記排紙指示のされていない排紙手段であって、かつ前記特定の排紙手段ではない場合、前記排紙指示がされた排紙手段からの記録媒体の排紙を中断しないことを特徴とする請求項１１に記載の画像出力装置。
【請求項１４】
前記制御手段は、前記排紙指示がされた排紙手段及び前記特定の排紙手段から記録媒体が除去され、かつ前記排紙手段に対応するパスワードが入力されたことを条件として該排紙手段からの記録媒体の排紙を許可することを特徴とする請求項１２に記載の画像出力装置。
【請求項１５】
前記記録媒体に形成される画像データから前記パスワードを抽出する抽出手段をさらに備えることを特徴とする請求項１４に記載の画像出力装置。
【請求項１６】
前記パスワードを操作者に入力させる操作手段をさらに備えることを特徴とする請求項１４に記載の画像出力装置。
【請求項１７】
前記特定の排紙手段に蓄積されている記録媒体が所定量以下であるか否かを判定する判定手段をさらに備え、
前記制御手段は、前記判定手段によって前記特定の排紙手段に所定量以下の記録媒体が蓄積されていると判定されたことを条件として、前記排紙指示がされた排紙手段又は前記特定の排紙手段からの記録媒体の排紙を許可する
ことを特徴とする請求項１２に記載の画像出力装置。
【請求項１８】
前記制御手段によって排紙が中断された場合、前記画像データの出力指示者に対して前記特定の排紙手段からの記録媒体の除去を報知する報知工程をさらに有することを特徴とする請求項１１又は１２に記載の画像出力装置。
【請求項１９】
前記制御手段は、特定の操作者のために使用が許可された特定の排紙手段から排紙され集積された記録媒体が許容量に達していると検出された場合、全ての前記複数の排紙手段からの記録媒体の排紙を中断することを特徴とする請求項１０に記載の画像出力装置。
【請求項２０】
利用者を特定するための判断処理を行う判断手段と、
前記判断手段の判断結果に基づいて、利用者に対して利用を許可する排紙手段と利用者に対して利用を禁止する排紙手段とを識別する識別手段とをさらに備え、
前記制御手段は、前記識別手段によって識別された利用者に対して利用が禁止された排紙手段からの記録媒体の排紙を禁止する
ことを特徴とする請求項１１に記載の画像出力装置。
【請求項２１】
保持している記録媒体を給紙指示に基づいて給紙する複数の給紙手段を備え、給紙された記録媒体に画像データを形成して出力する画像出力装置の制御方法であって、
前記複数の給紙手段のいずれかに対して記録媒体の給紙指示を行う指示工程と、
前記複数の給紙手段内に保持されている記録媒体の状態を検出する検出工程と、
特定の操作者のために使用が許可された特定の給紙手段が記録媒体を保持していないと検出された場合、前記給紙指示がされた給紙手段からの記録媒体の給紙を中断する制御工程と
を有することを特徴とする画像出力装置の制御方法。
【請求項２２】
前記制御工程は、特定の操作者のために使用が許可された特定の給紙手段が記録媒体を保持していないと検出された場合、全ての前記複数の給紙手段からの記録媒体の給紙を中断することを特徴とする請求項２１に記載の画像出力装置の制御方法。
【請求項２３】
排紙指示に基づいて記録媒体を排紙して集積可能な複数の排紙手段を備え、記録媒体を排紙する画像出力装置の制御方法であって、
前記複数の排紙手段のいずれかに対して記録媒体の排紙指示を行う指示工程と、
前記複数の排紙手段から排紙され集積された記録媒体が許容量に達しているか否かを検出する検出工程と、
特定の操作者のために使用が許可された特定の排紙手段から排紙され集積された記録媒体が許容量に達していると検出された場合、前記排紙指示がされた排紙手段からの記録媒体の排紙を中断する制御工程と
を有することを特徴とする画像出力装置の制御方法。
【請求項２４】
前記制御工程は、特定の操作者のために使用が許可された特定の排紙手段から排紙され集積された記録媒体が許容量に達していると検出された場合、全ての前記複数の排紙手段からの記録媒体の排紙を中断することを特徴とする請求項２３に記載の画像出力装置の制御方法。
【請求項２５】
請求項２１から２４までのいずれか１項に記載の制御方法で画像出力装置を制御するためのプログラム。
【請求項２６】
請求項２５に記載のプログラムを格納したことを特徴とするコンピュータ読み取り可能な記録媒体。
【発明の詳細な説明】
【技術分野】
【０００１】
本発明は、特定のユーザのために使用が許可された給排紙装置を用いた画像出力が可能な画像出力装置及びその制御方法に関する。
【背景技術】
【０００２】
従来、複数の給排紙装置を備える画像出力装置において、特定の給排紙装置を特定のユーザ専用の給排紙装置として使用させる方法が知られている（例えば、特許文献１参照。）。
【０００３】
ここで、複数の給紙装置を備えている画像出力装置では、各給紙装置のエラー処理は独立に行われることが一般的である。また、複数の排紙装置を備えている装置でも、各排紙装置のエラー処理は独立に行われることが一般的である。
【特許文献１】特開平７−１４８９９６号公報
【発明の開示】
【発明が解決しようとする課題】
【０００４】
しかしながら、上記特許文献１に記載の発明のような装置では、特定のユーザにのみ使用が許可された特定の給紙装置に保持されていた用紙がなくなった場合（以下、この状態を「用紙なしの状態」と称す。）や、排紙装置の積載容量を越えた用紙が出力されて当該排紙装置が使用できなくなった場合には、該当する給紙装置及び排紙装置のエラー解除処理を行う必要があるものと思われる。
【０００５】
ここで、従来の画像出力装置では、それらのエラー解除処理は特定の給排紙装置以外の給排紙装置とは独立に行われるため、特定の給排紙装置に対して必要となるエラー解除処理の頻度は、それ以外の給排紙装置と同等である。
【０００６】
そのため、当該画像出力装置を使用する特定のユーザが、給紙装置への用紙の補給や排紙装置に出力された用紙を取り除く作業を行うことが困難な、身体的又は精神的に何らかの障害を持ったユーザであっても、それらの障害を持たない通常のユーザと同等の頻度で給排紙装置のエラー解除処理を行わなくてはならないという問題等が起こりうることが予想される。
【０００７】
本発明は、このような事情を考慮してなされたものであり、画像出力装置に備わる特定の給排紙装置の使用が許可された特定のユーザに対して、給紙装置への用紙の補充や排紙装置からの用紙の除去といったエラー解除処理を行わせる頻度を好適に減少することができる画像出力装置及びその制御方法を提供することを目的とする。
【課題を解決するための手段】
【０００８】
上記課題を解決するために、本発明は、給紙された記録媒体に画像データを形成して出力する画像出力装置であって、
保持している記録媒体を給紙指示に基づいて給紙する複数の給紙手段と、
前記複数の給紙手段のいずれかに対して記録媒体の給紙指示を行う指示手段と、
前記複数の給紙手段内に保持されている記録媒体の状態を検出する検出手段と、
特定の操作者のために使用が許可された特定の給紙手段が記録媒体を保持していないと検出された場合、前記給紙指示がされた給紙手段からの記録媒体の給紙を中断する制御手段と
を備えることを特徴とする。
【０００９】
また、本発明は、記録媒体を排紙する画像出力装置であって、
排紙指示に基づいて記録媒体を排紙して集積可能な複数の排紙手段と、
前記複数の排紙手段のいずれかに対して記録媒体の排紙指示を行う指示手段と、
前記複数の排紙手段から排紙され集積された記録媒体が許容量に達しているか否かを検出する検出手段と、
特定の操作者のために使用が許可された特定の排紙手段から排紙され集積された記録媒体が許容量に達していると検出された場合、前記排紙指示がされた排紙手段からの記録媒体の排紙を中断する制御手段と
を備えることを特徴とする。
【００１０】
さらに、本発明は、保持している記録媒体を給紙指示に基づいて給紙する複数の給紙手段を備え、給紙された記録媒体に画像データを形成して出力する画像出力装置の制御方法であって、
前記複数の給紙手段のいずれかに対して記録媒体の給紙指示を行う指示工程と、
前記複数の給紙手段内に保持されている記録媒体の状態を検出する検出工程と、
特定の操作者のために使用が許可された特定の給紙手段が記録媒体を保持していないと検出された場合、前記給紙指示がされた給紙手段からの記録媒体の給紙を中断する制御工程と
を有することを特徴とする。
【００１１】
さらにまた、本発明は、排紙指示に基づいて記録媒体を排紙して集積可能な複数の排紙手段を備え、記録媒体を排紙する画像出力装置の制御方法であって、
前記複数の排紙手段のいずれかに対して記録媒体の排紙指示を行う指示工程と、
前記複数の排紙手段から排紙され集積された記録媒体が許容量に達しているか否かを検出する検出工程と、
特定の操作者のために使用が許可された特定の排紙手段から排紙され集積された記録媒体が許容量に達していると検出された場合、前記排紙指示がされた排紙手段からの記録媒体の排紙を中断する制御工程と
を有することを特徴とする。
【発明の効果】
【００１２】
本発明によれば、画像出力装置に備わる特定の給排紙装置の使用が許可された特定のユーザに対して、給紙装置への用紙の補充や排紙装置からの用紙の除去といったエラー解除処理を行わせる頻度を好適に減少することができる。
【発明を実施するための最良の形態】
【００１３】
以下、図面を参照して、本発明の一実施形態に係る画像出力装置及びその制御方法について説明する。
【００１４】
図１は、本発明の一実施形態に係る画像出力装置の概観図である。図１において、１００１は画像出力装置のユーザ（操作者）が当該画像出力装置を構成する各種機器の操作を行うための操作部である。１００２は原稿等（入力媒体）を光学的に読み取るためのスキャナ部であり、スキャナ部１００２には、読み取るための原稿を搬送するための搬送部１００３、１００４が備わっている。
【００１５】
また、図１において、１００５は本画像出力装置内部に保持された画像データを用紙等の記録媒体に出力するためのプリンタ部であり、プリンタ部１００５には、紙やＯＨＰシート等の記録媒体を保持、供給するための給紙部１００７、１００８、１００９と、画像データが印刷された記録媒体を排紙するための排紙部１００６、１０１０が備わっている。
【００１６】
尚、本画像出力装置は、ホストコンピュータとイーサネット（登録商標）ケーブルを用いて直接、或いはＬＡＮ等のネットワークを介して互いに接続されているものとする。
【００１７】
図２は、本発明の一実施形態に係る画像出力装置のハードウェア構成を示すブロック図である。図２において、２００１は本実施形態に係る画像出力装置のコントローラ（ハードウェア）である。また、２００２はユーザが画像出力装置内の各種機器の操作を行うための操作部である。２００３は外部機器とネットワーク等を介して接続するためのネットワークケーブルである。また、２００４は外部機器と電話回線によって接続を行うための回線ケーブルである。
【００１８】
２００５はコントローラ２００１全体を制御するためのプログラムを動作させるためのＣＰＵである。２００６はＣＰＵ２００１上で動作するプログラムによって管理されるＲＡＭである。ＲＡＭ２００６は、外部から受信したデータを一時的に蓄えるための受信バッファやＲＩＰによってラスタライズされた画像データを一時的に蓄えるための画像データバッファ等の目的で使用される。
【００１９】
２００７は操作部とコントローラ２００１とを接続するためのインタフェースである。２００８はコントローラ２００１とネットワークを接続するためのネットワークインタフェースである。２００９はコントローラ２００１と電話回線を接続するためのインタフェース（ＭＯＤＥＭ）である。
【００２０】
また、２０１０はＣＰＵ２００５上で動作するプログラムやデータ等を格納するためのＲＯＭである。２０１１はさまざまなデータを長期的に保存することが可能な不揮発性の記憶装置であるハードディスク（ＨＤＤ）である。また、２０１２はＣＰＵバスである。
【００２１】
一方、２０２４は画像処理を行うためのハードウェア群に接続されたイメージバスである。そして、２０１３はＣＰＵ２０１２とイメージバス２０２４とを接続するためのイメージバスインタフェースである。
【００２２】
２０２１は外部から入力される画像記述データをビットマップイメージデータに変換する機能を有するラスタライズボード（ＲＩＰ）である。２０１４は画像転送バス２０１８によってＲＩＰ２０２１とイメージバス２０２４を接続するためのインタフェースである。
【００２３】
２０１５はデータを圧縮するためのデータ圧縮部である。また、２０２２はスキャナ部であり、図１のスキャナ部１００２に相当する。さらに、２０２３はプリンタ部であり、図１のプリンタ部１００５に相当する。２０１６はデータバス２０１９、２０２０によってスキャナ部２０２２及びプリンタ部２０２３をイメージバス２０２４に接続するためのデバイスインタフェースである。２０１７はＲＡＭ２００６に格納されている画像データの各種画像変換処理を行うための画像処理部である。
【００２４】
図３は、本発明の一実施形態に係る画像出力装置とそれに接続された外部機器を含む画像出力システムの構成を示す概要図である。図３において、３００１は図１及び図２に示される本実施形態に係る画像出力装置である。また、３００２、３００３、３００４は、画像出力装置３００１への画像出力を行うユーザ（作業者）であり、各ユーザは、画像データを生成して画像出力装置３００１へデータを送信するためのホストコンピュータ３００６Ａ〜３００６Ｃを保有している。３００５はホストコンピュータ３００６Ａ〜３００６Ｃと画像出力装置３００１とを接続し、ホストコンピュータ３００６Ａ〜３００６Ｃから画像出力装置３００１へ画像データを送信するためのネットワークである。
【００２５】
また、画像出力装置３００１において、３００７、３００８、３００９は画像出力装置３００１が備える給紙装置である。３０１０、３０１１、３０１２、３０１３は画像出力装置３００１が備える排紙装置である。
【００２６】
そして、ユーザ３００２、３００３、３００４に中には、給紙装置３００７、３００８、３００９へ用紙を補給するための操作が困難なユーザと、排紙装置３０１０、３０１１、３０１２、３０１３上に出力され蓄積された用紙を取り除くための操作が困難なユーザと、それらの用紙の補給や用紙の排除作業を不自由なく行うことができるユーザとが含まれているものとする。
【００２７】
また、給紙装置３００７、３００８、３００９のうちの一部の給紙装置は、特定のユーザにのみ給紙処理が許可されるように構成される。さらに、排紙装置３０１０、３０１１、３０１２、３０１３のうちの一部の排紙装置は、特定のユーザにのみ排紙処理が許可されるように構成されているものとする。
【００２８】
以下、本実施形態に係る画像出力装置を用いた具体的な処理例について説明する。図４は、本実施形態に係る画像出力装置を用いて画像データを出力させる際の各種処理手順を説明するためのフロチャートである。
【００２９】
尚、図４に示すフロチャートに従って説明する前提として、図３における作業者Ａであるユーザ３００２は給紙装置３００７、３００８、３００９の用紙補給操作が困難な者であるとする。また、作業者Ｂであるユーザ３００３は排紙装置３０１０、３０１１、３０１２からの出力用紙の除去操作が困難な者であるとする。そして、作業者Ｃであるユーザ３００２は用紙補給及び出力用紙の除去操作のどちらの操作も困難を伴うことなく行うことができる者であるとする。
【００３０】
また、給紙装置３００７をユーザ３００２（作業者Ａ）だけが給紙可能な専用の給紙装置とし、排紙装置３０１０をユーザ３００３（作業者Ｂ）だけが排紙可能な専用の排紙装置とする。そして、図４に示すフローチャートは、給紙装置の用紙補給操作及び排紙装置の積載用紙除去操作を困難なく行うことができるユーザ３００４（作業者Ｃ）によって操作された場合の画像出力装置の処理手順について示す。
【００３１】
尚、ユーザ３００４が出力を行うデータには、給紙装置として給紙装置３００８、排紙装置として排紙装置３０１１が指定されているものとする。
【００３２】
［給紙処理］
画像出力装置では、まず、備わっている給紙装置のいずれかに用紙なしの状態が発生しているか否かの判断を行う（ステップＳ４００１）。その結果、給紙装置のいずれにも用紙なしの状態が発生していないと判断された場合（Ｎｏ）は、給紙処理及び記録媒体への画像データの記録処理がなされ、ステップＳ４００５へ移行する。一方、ステップＳ４００１において、給紙装置のいずれかに用紙なしの状態が発生していると判断された場合（Ｙｅｓ）は、出力処理が中断され、用紙なしの状態が発生している給紙装置の特定が行われる（ステップＳ４００２）。
【００３３】
そして、ステップＳ４００２において、用紙なしの状態が発生している給紙装置が、特定のユーザであるユーザ３００２のみが使用可能な給紙装置３００７の場合には、ユーザ３００４に対してユーザ３００４が使用不可能であっても給紙装置３００７に用紙を補給（給紙）するように表示画面等にその旨を表示等することによってユーザに報知する（ステップＳ４００３）。これによって、ユーザ３００４にユーザ３００２専用の給紙装置３００７の用紙補給を行わせる。そして、画像出力装置では、給紙装置３００７に確実に用紙が給紙されたか否かをさらに確認した後、ユーザ３００４が指定した給紙装置３００８から用紙の給紙が許可される。
【００３４】
また、ステップＳ４００２において、用紙なしの状態が発生している給紙装置が、当該ユーザ３００４が給紙を行わせようとして指定している給紙装置３００８の場合には、特定のユーザであるユーザ３００２のみが使用可能な給紙装置３００７と当該給紙装置３００８の両方に用紙を補充（給紙）するように表示画面等にその旨を表示等することによってユーザに報知する（ステップＳ４００４）。これによって、ユーザ３００４に給紙装置３００７及び給紙装置３００８の用紙補給を行わせる。そして、画像出力装置では、給紙装置３００７及び給紙装置３００８に確実に用紙が給紙されたか否かをさらに確認した後、ユーザ３００４が指定した給紙装置３００８から用紙が給紙される。
【００３５】
尚、ステップＳ４００２において、用紙なしの状態が発生している給紙装置が、特定のユーザのみが使用可能な給紙手段でもなく、当該ユーザ３００９が給紙を行わせようとして指定している給紙装置でもない給紙手段３００９の場合には、特に給紙を行わせるような処理はなく、そのままユーザ３００４が指定した給紙装置３００８から用紙が給紙されることとなる。
【００３６】
また、特定の操作者のために使用が許可された特定の給紙装置が用紙（記録媒体）を保持していないと検出された場合、全ての給紙装置からの記録媒体の給紙を中断するようにしてもよい。
【００３７】
尚、ステップＳ４００１の処理に先立って、利用者を特定するための判断処理を行い、その判断結果に基づいて、利用者に対して利用を許可する給紙装置と利用者に対して利用を禁止する給紙装置とを識別しておき、利用者に対して利用が禁止された給紙装置からの記録媒体の給紙を禁止するようにしておいてもよい。
【００３８】
［排紙処理］
次に、画像出力装置では、排紙処理に移行する前に、排紙装置のいずれかに積載容量オーバーの状態が発生しているか否かを判断する（ステップＳ４００５）。その結果、排紙装置のいずれにも積載容量オーバーの状態が発生していないと判断された場合（Ｎｏ）は、ステップＳ４００９へ移行して出力処理が実行される。一方、ステップＳ４００５において、排紙装置のいずれかに積載容量オーバーが発生していると判断された場合（Ｙｅｓ）は出力処理が中断され、積載容量オーバーの状態が発生している排紙装置の特定を行う（ステップＳ４００６）。
【００３９】
ここで、積載容量オーバーの状態が発生している排紙装置が、ユーザ３００３（作業者Ｂ）だけが排紙可能な排紙装置である排紙装置３０１０である場合は、ユーザ３００４に対してユーザ３００４が使用できない排紙装置３０１０から出力用紙を除去するように表示画面等にその旨を表示等することによってユーザに報知する（ステップＳ４００７）。これによって、ユーザ３００４に排紙装置３０１０からの用紙除去を行わせる。そして、画像出力装置では、排紙装置３０１０から確実に用紙が除去されたか否かをさらに確認した後、出力処理が実行されてユーザ３００４が指定した排紙装置３０１１に用紙が排紙される（ステップＳ４００９）。
【００４０】
また、積載容量オーバーの状態が発生している排紙装置が、ユーザ３００３が指定した排紙装置である排紙装置３０１１である場合は、ユーザ３００４に対して排紙装置３０１０及び排紙装置３０１１から出力用紙を除去するように表示画面等にその旨を表示等することによってユーザに報知する（ステップＳ４００８）。これによって、ユーザ３００４に排紙装置３０１０及び排紙装置３０１１からの用紙除去を行わせる。
【００４１】
尚、特定の操作者のために使用が許可された特定の排紙装置から排紙され集積された記録媒体が許容量に達していると検出された場合であっても、全ての排紙装置からの出力用紙（記録媒体）の排紙を中断するようにしてもよい。
【００４２】
そして、画像出力装置では、排紙装置３０１０及び排紙装置３０１１から確実に用紙が除去されたか否かをさらに確認した後、出力処理が実行されてユーザ３００４が指定した排紙装置３０１１に用紙の排紙が許可される（ステップＳ４００９）。
【００４３】
尚、ステップＳ４００５以降の処理に先立って、予め利用者を特定するための判断処理を行って、その判断結果に基づいて、利用者に対して利用を許可する排紙装置と利用者に対して利用を禁止する排紙装置とを識別しておき、利用者に対して利用が禁止された排紙装置からの記録媒体の排紙を禁止しておいてもよい。
【００４４】
図５は、本発明の一実施形態に係る画像出力装置内部の記憶装置に記憶される給紙装置及び排紙装置に関する情報の構成を示す図である。図５（ａ）に示す５００１は、画像出力装置に備えられている給紙装置の情報を格納する給紙装置情報テーブルである。また、図５（ｂ）に示す５００２は、画像出力装置に備えられている排紙装置の情報を格納する排紙装置情報テーブルである。
【００４５】
５００３は給紙装置３００７、３００８、３００９を識別するための名称であり、一例として、各給紙装置を示す文字列が割り当てられている。また、５００４は、各給紙装置の状態を示す給紙装置状態情報である。尚、給紙装置状態情報５００４が「ｌｏｃｋ」に設定されている場合は、その給紙装置からの給紙処理は行えないように制御される。一方、「ｕｎｌｏｃｋ」に設定されている場合には、その給紙装置からの給紙処理を行うことができる。また、給紙装置状態情報５００４は給紙装置が稼動している最中に用紙なしの状態が発生した場合には、「ｕｎｌｏｃｋ」状態から「ｌｏｃｋ」状態に設定が変更される。
【００４６】
５００５は給紙装置３００７、３００８、３００９が特定のユーザに使用される給紙装置か否かを記憶しておくための特定給紙装置識別子であり、操作部２００２上からの操作、或いはホストコンピュータから送られてくるデータによって設定することが可能である。本実施形態では、特定給紙装置識別子５００５が「ＯＮ」に設定されている場合は、その給紙装置が特定のユーザが使用するための給紙装置に設定されているものとする。一方、「ＯＦＦ」に設定されている場合には、ユーザを特定することなく使用することが可能であることを示す。
【００４７】
５００６は給紙装置３００７、３００８、３００９に対応して設定されているパスワード情報である。給紙装置から給紙を行う際には、出力データ中又は操作部２００２からの操作により、各給紙装置に設定されているパスワードを入力する必要がある。但し、本実施形態では、給紙装置３００７、３００８、３００９の特定給紙装置識別子５００５が「ＯＮ」に設定されているときのみ有効な値が記憶されるものとする。すなわち、給紙装置３００７、３００８、３００９の特定給紙装置識別子５００５が「ＯＦＦ」に設定されている場合は、パスワードの入力を行うことなく所望の給紙装置から給紙することが可能である。
【００４８】
５００７は排紙装置３０１０、３０１１、３０１２を識別するための名称であり、一例として、各排紙装置を示す文字列が割り当てられている。
【００４９】
５００８は排紙装置の状態を示す排紙装置状態情報である。排紙装置状態情報５００８が「ｌｏｃｋ」状態に設定されている場合は、その排紙装置への排紙処理は行えないように制御される。一方、「ｕｎｌｏｃｋ」に設定されている場合には、その排紙装置からの排紙処理を行うことができる。また、排紙装置状態情報５００８は排紙装置が稼動している最中に用紙容量オーバーが発生した場合には、「ｕｎｌｏｃｋ」状態から「ｌｏｃｋ」状態に設定が変更される。
【００５０】
５００９は排紙装置３０１０、３０１１、３０１２が特定のユーザに使用される排紙装置か否かを記憶しておくための特定排紙装置識別子であり、操作部２００２上からの操作又はホストコンピュータから送られてくるデータによって設定することが可能である。本実施形態では、特定排紙装置識別子５００９が「ＯＮ」に設定されている場合は、その排紙装置が特定のユーザが使用するための排紙装置に設定されているものとする。一方、「ＯＦＦ」に設定されている場合には、ユーザを特定することなく使用することが可能であることを示す。
【００５１】
５０１０は排紙装置３０１０、３０１１、３０１２に対応して設定されているパスワード情報である。排紙装置へ排紙を行う際には、出力データ中又は操作部２００２からの操作により、各排紙装置に設定されているパスワードを入力する必要がある。但し、本実施形態では、排紙装置３０１０、３０１１、３０１２の特定排紙装置識別子５００９が「ＯＮ」に設定されているときのみ有効な値が記憶されるものとする。すなわち、排紙装置３０１０、３０１１、３０１２の特定排紙識別子５００９が「ＯＦＦ」に設定されている場合は、パスワードの入力を行うことなく所望の排紙装置から排紙することが可能となる。
【００５２】
図６は、ホストコンピュータ３００６から画像出力装置３００１へ送信される画像データの細部構造を示す図である。図６において、６００１は出力する用紙（記録媒体）を指定するための給紙装置名称である。６００２は給紙装置名称６００１に対応するパスワードである。６００３は出力先を指定するための排紙装置名称である。６００４は排紙装置名称６００３に対応するパスワードである。６００５は記録媒体上の形成される画像データである。尚、上記パスワードは画像データから抽出して用いても良いし、操作部２００２等からユーザが入力するようにしてもよい。
【００５３】
［給紙処理例］
図７は、本発明の一実施形態に係る画像出力装置のコントローラ２００１が制御プログラムに基づいて給紙処理を行うための手順を説明するためのフロチャートである。以下に、図７に示すフロチャートを用いて、本発明の一適用例について説明する。
【００５４】
まず、ホストコンピュータからのデータの受信待ち状態に移行する（ステップＳ７００１）。その結果、データを受信したと判断した場合（Ｙｅｓ）はステップＳ７００２へ移行する。
【００５５】
ステップＳ７００２では、入力データで指定される給紙装置名称６００１に対応する給紙装置情報を給紙装置情報テーブル５００１から検索し、入力データで指定される給紙装置名称６００１の特定給紙装置識別子が「ＯＮ」に設定されているか否かを判断する。その結果、給紙装置名称６００１の特定給紙装置識別子が「ＯＦＦ」に設定されていると判断された場合（Ｎｏ）はステップＳ７００３へ移行する。一方、給紙装置名称６００１の特定給紙装置識別子が「ＯＦＦ」に設定されていると判断された場合（Ｙｅｓ）はステップＳ７０１２へ移行する。
【００５６】
ステップＳ７００３では、給紙装置情報テーブル５００１内に、特定給紙装置識別子が「ＯＮ」であり、かつ、給紙装置状態が「ｌｏｃｋ」に設定されている給紙装置の検索を行う。その検索の結果、給紙装置情報テーブル５００１内に、特定給紙装置識別子が「ＯＮ」であり、かつ給紙装置状態が「ｌｏｃｋ」に設定されている給紙装置がないと判断された場合（Ｎｏ）はステップＳ７００７へ移行する。一方、当該検索の結果、給紙装置情報テーブル５００１内に、特定給紙装置識別子が「ＯＮ」であり、かつ給紙装置状態が「ｌｏｃｋ」に設定されている給紙装置があると判断された場合（Ｙｅｓ）はステップＳ７００４へ移行する。
【００５７】
ステップＳ７００４では、特定給紙装置識別子が「ＯＮ」であり、かつ給紙装置状態が「ｌｏｃｋ」に設定されている給紙装置に対する用紙補給要求を行って、ステップＳ７００５へ移行する。
【００５８】
ステップＳ７００５では、ステップＳ７００４で用紙補給要求を行った全ての給紙装置に対する用紙補給処理が完了したか否かの判断を行う。その結果、ステップＳ７００４で用紙補給要求を行った全ての給紙装置に対する用紙補給処理が完了したと判断された場合（Ｙｅｓ）はステップＳ７００６へ移行する。
【００５９】
ステップＳ７００６では、用紙補給が完了した給紙装置の給紙装置状態を「ｕｎｌｏｃｋ」状態へ設定してステップＳ７００７へ移行する。そして、入力データで指定された給紙装置名称６００１の給紙装置状態の判断を行う（ステップＳ７００７）。その結果、入力データで指定される給紙装置名称６００１の給紙装置状態が「ｕｎｌｏｃｋ」状態に設定されていると判断された場合（Ｎｏ）はステップＳ７０１１の出力処理を実行して、さらにステップＳ７００１のデータ受信待ち状態へ移行する。一方、ステップＳ７００７において、入力データで指定される給紙装置名称６００１の給紙装置状態が「ｌｏｃｋ」状態に設定されていると判断された場合（Ｙｅｓ）はステップＳ７００８に移行する。
【００６０】
ステップＳ７００８では、入力データで指定される給紙装置名称６００１の給紙装置に対する用紙補給要求を行って、ステップＳ７００９へ移行する。ステップＳ７００９では、ステップＳ７００８で用紙補給要求を行った給紙装置に対する用紙補給処理が完了したか否かの判断を行う。その結果、ステップＳ７００８で用紙補給要求を行った給紙装置に対する用紙補給処理が完了したと判断された場合（Ｙｅｓ）はステップＳ７０１０へ移行する。一方、ステップＳ７００８で用紙補給要求を行った給紙装置に対する用紙補給処理が完了していないと判断された場合（Ｎｏ）はステップＳ７００８に戻って上述した処理を行う。
【００６１】
そして、ステップＳ７０１０では、入力データで指定される給紙装置名称６００１の給紙装置状態を「ｕｎｌｏｃｋ」状態に設定して、ステップＳ７０１１へ移行する。
【００６２】
また、上述したように、ステップＳ７００２において、入力データで指定される給紙装置名称６００１が特別な給紙装置に設定されていたと判断された場合（Ｙｅｓ）はステップＳ７０１２へ移行する。ステップＳ７０１２では、入力データで指定される給紙装置名称６００１に対応するパスワード情報を給紙装置情報テーブル５００１から検索し、入力データで指定される給紙装置のパスワード６００２との照合処理を行う。
【００６３】
その結果、入力データで指定されたパスワード６００２が正しくないと判断された場合（Ｎｏ）は、エラー処理を行って（ステップＳ７０１８）、ステップＳ７００１のデータ受信待ち状態に移行する。一方、ステップＳ７０１２において、入力データで指定されたパスワード６００２が正しいと判断された場合（Ｙｅｓ）はステップＳ７０１３へ移行する。
【００６４】
ステップＳ７０１３では、入力データで指定される給紙装置名称６００１の給紙装置状態の判断を行う。その結果、入力データで指定される給紙装置名称６００１に対応する給紙装置の給紙装置状態が「ｕｎｌｏｃｋ」状態に設定されていると判断された場合（Ｎｏ）は、出力処理を実行して（ステップＳ７０１１）、ステップＳ７００１のデータ受信待ち状態へ移行する。一方、ステップＳ７０１３において、入力データで指定される給紙装置名称６００１の給紙装置状態が「ｌｏｃｋ」状態に設定されていると判断された場合（Ｙｅｓ）はステップＳ７０１４に移行する。
【００６５】
ステップＳ７０１４では、全ての給紙装置の給紙装置状態を「ｌｏｃｋ」に設定する。次いで、入力データで指定される給紙装置名称６００１の給紙装置に対する用紙補給要求を行う（ステップＳ７０１５）。さらに、ステップＳ７０１５で用紙補給要求を行った給紙装置に対する用紙補給処理が完了したか否かの判断を行う（ステップＳ７０１６）。その結果、ステップＳ７０１５で用紙補給要求を行った給紙装置に対する用紙補給処理が完了したと判断された場合（Ｙｅｓ）はステップＳ７０１７へ移行する。一方、用紙補給要求を行った給紙装置に対する用紙補給処理が完了していないと判断された場合（Ｎｏ）はステップＳ７０１５に戻って前述した処理を行う。
【００６６】
ステップＳ７０１７では、給紙装置全ての状態の更新処理を行う。ステップＳ７０１７の給紙装置全ての状態の更新処理において、各給紙装置において用紙無しが発生しているか否かの判別を行い、用紙なしの状態が発生していた場合は給紙装置情報テーブル５００１中の該当する給紙装置の給紙装置状態を「ｌｏｃｋ」状態に設定する。
【００６７】
このように、本実施形態に係る画像出力装置は、特定の給排紙装置がエラー処理が必要な状態に陥った場合、全ての給紙処理を禁止するとともに、特定の給紙装置以外の給排紙装置がエラー処理が必要な状態に陥り、エラー解除処理を行う場合には、特定の給紙装置の状態の確認を行わない限り、特定の給紙装置以外の給紙装置による給紙処理を許可しないように制御する。これによって、特定の給紙装置を使用する特定のユーザに対して、エラー解除処理を行わせる頻度を減らすことが可能となる。
【００６８】
［排紙処理例］
図８は、本発明の一実施形態に係る画像出力装置のコントローラ２００１が制御プログラムに基づいて排紙処理を行うための手順を説明するためのフロチャートである。以下に、図８に示すフロチャートを用いて、本発明の一適用例について説明する。
【００６９】
まず、データの受信待ち状態に移行する（ステップＳ８００１）。その結果、データを受信したと判断した場合（Ｙｅｓ）はステップＳ８００２へ移行する。
【００７０】
ステップＳ８００２では、入力データで指定される排紙装置名称６００３に対応する排紙装置情報を排紙装置情報テーブル５００２から検索する。その結果、入力データで指定される排紙装置名称６００２の特定排紙装置識別子が「ＯＦＦ」に設定されていると判断された場合（Ｎｏ）はステップＳ８００３へ移行する。一方、「ＯＮ」に設定されていると判断された場合（Ｙｅｓ）はステップＳ８０１２へ移行する。
【００７１】
ステップＳ８００３では、排紙装置情報テーブル５００２内に特定排紙装置識別子が「ＯＮ」であり、かつ排紙装置状態が「ｌｏｃｋ」に設定されている排紙装置の検索を行う。その検索の結果、排紙装置情報テーブル５００２内に、特定排紙装置識別子が「ＯＮ」であり、かつ排紙装置状態が「ｌｏｃｋ」に設定されている排紙装置がないと判断された場合（Ｎｏ）はステップＳ８００７へ移行する。一方、排紙装置情報テーブル５００２内に特定排紙装置識別子が「ＯＮ」であり、かつ排紙装置状態が「ｌｏｃｋ」に設定されている排紙装置があると判断された場合（Ｙｅｓ）はステップＳ８００４へ移行する。
【００７２】
ステップＳ８００４では、特定排紙装置識別子が「ＯＮ」であり、かつ排紙装置状態が「ｌｏｃｋ」に設定されている排紙装置に対する用紙除去要求を行う。ついで、用紙除去要求を行った全ての排紙装置に対する用紙除去処理が完了したか否かの判断を行う（ステップＳ８００５）。その結果、ステップＳ８００４で用紙除去要求を行った全ての排紙装置に対する用紙除去処理が完了したと判断された場合（Ｙｅｓ）はステップＳ８００６へ移行する。一方、ステップＳ８００４で用紙除去要求を行った全ての排紙装置に対する用紙除去処理が完了していないと判断された場合（Ｎｏ）はステップＳ８００４に戻る。
【００７３】
ステップＳ８００６では、用紙除去が完了した排紙装置の排紙装置状態を「ｕｎｌｏｃｋ」状態へ設定する。次いで、入力データで指定される排紙装置名称６００３の排紙装置状態の判断を行う（ステップＳ８００７）。その結果、入力データで指定される排紙装置名称６００３の排紙装置状態が「ｕｎｌｏｃｋ」状態に設定されていると判断された場合（Ｎｏ）は、出力処理を実行して（ステップＳ８０１１）、ステップＳ８００１のデータ受信待ち状態へ移行する。一方、入力データで指定される排紙装置名称６００３の排紙装置状態が「ｌｏｃｋ」状態に設定されていると判断された場合（Ｙｅｓ）はステップＳ８００８に移行する。
【００７４】
ステップＳ８００８では、入力データで指定される排紙装置名称６００３の排紙装置に対する用紙除去要求を行う。次いで、ステップＳ８００８で用紙除去要求を行った排紙装置に対する用紙除去処理が完了したか否かの判断を行う（ステップＳ８００９）。その結果、ステップＳ８００８で用紙除去要求を行った排紙装置に対する用紙除去処理が完了したと判断された場合（Ｙｅｓ）はステップＳ８０１０へ移行する。一方、ステップＳ８００８で用紙除去要求を行った排紙装置に対する用紙除去処理が完了していないと判断された場合（Ｎｏ）はステップＳ８００８に戻る。
【００７５】
また、ステップＳ８０１０では、入力データで指定される排紙装置名称６００３の排紙装置状態を「ｕｎｌｏｃｋ」状態に設定してステップＳ８０１１へ移行する。
【００７６】
また、上述したように、ステップＳ８００２において、入力データで指定される排紙装置名称６００３が特別な排紙装置に設定されていたと判断された場合（Ｙｅｓ）、入力データで指定される排紙装置名称６００３に対応するパスワード情報を排紙装置情報テーブル５００２から検索し、入力データで指定される排紙装置のパスワード６００４との照合処理を行う（ステップＳ８０１２）。
【００７７】
その結果、入力データで指定されたパスワード６００４が正しくないと判断された場合（Ｎｏ）はエラー処理を行い（ステップＳ８０１８）、ステップＳ８００１のデータ受信待ち状態に移行する。一方、ステップＳ８０１２において、入力データで指定されたパスワード６００４が正しいと判断された場合（Ｙｅｓ）はステップＳ８０１３へ移行する。
【００７８】
ステップＳ８０１３では、入力データで指定される排紙装置名称６００３の排紙装置状態の判断を行う。その結果、入力データで指定される排紙装置名称６００３に対応する排紙装置の排紙装置状態が「ｕｎｌｏｃｋ」状態に設定されていると判断された場合（Ｎｏ）は、出力処理を実行して（ステップＳ８０１１）、ステップＳ８００１のデータ受信待ち状態へ移行する。一方、ステップＳ８０１３において、入力データで指定される排紙装置名称６００３の排紙装置状態が「ｌｏｃｋ」状態に設定されていると判断された場合（Ｙｅｓ）はステップＳ８０１４に移行する。
【００７９】
ステップＳ８０１４では、全ての排紙装置の排紙装置状態を「ｌｏｃｋ」に設定する。そして、入力データで指定される排紙装置名称６００３の排紙装置に対する用紙除去要求を行う（ステップＳ８０１５）。次いで、ステップＳ８０１５で用紙除去要求を行った排紙装置に対する用紙除去処理が完了したか否かの判断を行う（ステップＳ８０１６）。
【００８０】
その結果、ステップＳ８０１５で用紙除去要求を行った排紙装置に対する用紙除去処理が完了したと判断された場合（Ｙｅｓ）はステップＳ８０１７に移行し、まだ完了していないと判断された場合（Ｎｏ）はステップＳ８０１５に戻る。
【００８１】
ステップＳ８０１７では、排紙装置全ての状態の更新処理を行う。ステップＳ８０１７の排紙装置全ての状態の更新処理においては、各排紙装置において用紙無しが発生しているか否かの判断を行い、用紙なしの状態が発生していた場合は排紙装置情報テーブル５００２中の該当する排紙装置の排紙装置状態を「ｌｏｃｋ」状態に設定する。
【００８２】
このように、本発明に係る画像出力装置の制御により、特定の排紙装置を使用する特定のユーザに対して、エラー解除処理を行わせる頻度を減らすことが可能となる。
【００８３】
以上、実施形態例を詳述したが、本発明は、例えば、システム、装置、方法、プログラム若しくは記憶媒体等としての実施態様をとることが可能であり、具体的には、複数の機器から構成されるシステムに適用しても良いし、また、一つの機器からなる装置に適用しても良い。
【００８４】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００８５】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８６】
その場合、プログラムの機能を有していれば、オブジェクトコード、インタプリタにより実行されるプログラム、ＯＳに供給するスクリプトデータ等の形態であっても良い。
【００８７】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００８８】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８９】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９０】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００９１】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００９２】
【図１】本発明の一実施形態に係る画像出力装置の概観図である。
【図２】本発明の一実施形態に係る画像出力装置のハードウェア構成を示すブロック図である。
【図３】本発明の一実施形態に係る画像出力装置とそれに接続された外部機器を含む画像出力システムの構成を示す概要図である。
【図４】本実施形態に係る画像出力装置を用いて画像データを出力させる際の各種処理手順を説明するためのフロチャートである。
【図５】本発明の一実施形態に係る画像出力装置内部の記憶装置に記憶される給紙装置及び排紙装置に関する情報の構成を示す図である。
【図６】ホストコンピュータ３００６から画像出力装置３００１へ送信される画像データの細部構造を示す図である。
【図７】本発明の一実施形態に係る画像出力装置のコントローラ２００１が制御プログラムに基づいて給紙処理を行うための手順を説明するためのフロチャートである。
【図８】本発明の一実施形態に係る画像出力装置のコントローラ２００１が制御プログラムに基づいて排紙処理を行うための手順を説明するためのフロチャートである。
【符号の説明】
【００９３】
３００１  画像出力装置
３００２、３００３、３００４  ユーザ
３００５  ネットワーク
３００６Ａ、３００６Ｂ、３００６Ｃ  ホストコンピュータ
３００７、３００８、３００９  給紙装置
３０１０、３０１１、３０１２、３０１３  排紙装置
【図１】
2005255287.tif 000003
【図２】
2005255287.tif 000004
【図３】
2005255287.tif 000005
【図４】
2005255287.tif 000006
【図５】
2005255287.tif 000007
【図６】
2005255287.tif 000008
【図７】
2005255287.tif 000009
【図８】
2005255287.tif 000010